(57)【特許請求の範囲】
【請求項１】
共鳴現象によって相手方コイルに電力を送信し又は前記相手方コイルから送信された電力を受信する共鳴コイルであって、
複数回巻回されたコイル導線を有し、そして、
前記コイル導線の一の巻回部と当該一の巻回部に隣接する他の巻回部との間には、前記一の巻回部と前記他の巻回部との間に生じる電位差に応じた絶縁耐力を有する絶縁部材が設けられている
ことを特徴とする共鳴コイル。
【請求項２】
前記絶縁部材には、異なる前記絶縁耐力を有する、順次積層された、複数の絶縁層が設けられていることを特徴とする請求項１に記載の共鳴コイル。
【請求項３】
前記コイル導線が、管状に複数回巻回されており、
前記絶縁部材における前記コイル導線の軸方向中央部に設けられた前記絶縁層の絶縁耐力が、前記絶縁部材における前記コイル導線の軸方向両端部に設けられた前記絶縁層の絶縁耐力より高いことを特徴とする請求項２に記載の共鳴コイル。
【請求項４】
前記複数の絶縁層が、前記コイル導線の軸方向両端部に設けられた一対の第１絶縁層と、前記一対の第１絶縁層に挟まれるように積層されて前記コイル導線の軸方向中央部に設けられた、前記一対の第１絶縁層より絶縁耐力が高い第２絶縁層と、からなることを特徴とする請求項３に記載の共鳴コイル。
【請求項５】
共鳴現象によって電力を送信する送信共鳴コイルと、前記送信共鳴コイルから送信された電力を受信する受信共鳴コイルと、を有する非接触電力伝送装置において、
前記送信共鳴コイル及び前記受信共鳴コイルの少なくとも一方が、請求項１〜４のいずれか一項に記載された共鳴コイルである
ことを特徴とする非接触電力伝送装置。
【発明の詳細な説明】
【技術分野】
【０００１】
本発明は、共鳴現象によって相手方コイルに電力を送信し又は相手方コイルから送信された電力を受信する共鳴コイル、及び、その共鳴コイルを有する非接触電力伝送装置に関するものである。
【背景技術】
【０００２】
近年、例えば、電気自動車等が備える二次電池（以下、単に「バッテリ」という）の充電などにおいて、充電作業を容易にするために、プラグ接続等の物理的接続を必要としないワイヤレス（非接触）での電力伝送技術が用いられている。
【０００３】
このようなワイヤレス電力伝送技術として、電磁誘導現象を利用した電磁誘導方式、電磁波を利用した電磁波送信方式、共鳴現象を利用した共鳴方式などが知られている。中でも、共鳴方式は、送信共鳴コイルに交流電力を供給して、電磁場を介して送信共鳴コイルと当該送信共鳴コイルに対向配置された受信共鳴コイルとを共鳴させて、電力を伝送する技術であり、数ｋＷの大電力を比較的離れた場所間で伝送することが可能である。
【０００４】
しかしながら、このような共鳴方式のワイヤレス電力伝送技術を、例えば、電気自動車のバッテリ充電システムなどの数ｋＷから数十ｋＷの大電力が伝送されるシステムに適用した場合、図７に示すように、共鳴状態になると共鳴コイルが有する管状に巻回されたコイル導線の端部あるいは端部近傍において高電圧が生じ、当該共鳴コイルを収容するアースされたケースなどとの間で絶縁破壊が起きて火花放電が発生してしまうなどの問題があった。そして、このような問題を解決する技術が、例えば、特許文献１に開示されている。
【０００５】
特許文献１に開示されている共鳴コイル９０１は、図８に示すように、コイル導線９１０と絶縁性の樹脂９２０とを備えている。コイル導線９１０は、管状に複数回巻回されている。そして、この絶縁性の樹脂９２０が、コイル導線９１０の長手方向の端部９１０ａに近いほど厚みが増すようにコイル導線９１０に被覆加工されているので、コイル導線９１０の端部９１０ａにおける絶縁耐力を高めて火花放電を防止することができた。また、この共鳴コイル９０１のコイル導線９１０には、コイル導線９１０の巻回部間に一定の導線間ギャップが設けられており、コイル導線９１０の巻回部間での絶縁破壊による火花放電を防いでいた。
【０００６】
また、このような共鳴コイル９０１は、例えば、電気自動車のバッテリの充電システムなどに用いられるので、燃費向上、車内スペース確保、及び、充電エリアの有効利用等のために小型化が求められているが、共鳴コイル９０１を小型化するとコイル導線９１０の導線間ギャップが小さくなってしまい、コイル導線９１０間に絶縁破壊が生じる恐れがある。そして、このような問題を解決する技術として、コイル導線の巻回部間に絶縁性樹脂などからなる絶縁部材を充填してコイル導線全体を包むようにモールドすることにより、コイル導線の巻回部間の絶縁破壊耐性（絶縁耐力）を向上させて、コイル導線の導線間ギャップを小さくする構成が知られている。
【先行技術文献】
【特許文献】
【０００７】
【特許文献１】特開２０１０−７３８８５号公報
【発明の概要】
【発明が解決しようとする課題】
【０００８】
しかしながら、上述した構成の共鳴コイルにおいて、図７から判るようにコイル導線の各巻回部間に生じる電位差がコイル導線の箇所によって異なるにもかかわらず、コイル導線の導線間ギャップ、即ち、コイル導線の巻回部間に充填される絶縁部材の厚さが、最も大きい電位差に合わせて一定にされているので、これより電位差が低い箇所においては、絶縁部材が必要以上の厚さとなって過剰な絶縁耐力を有することになり、そのため、小型化に際して無駄が生じて製造コストが増加してしまうという問題があった。
【０００９】
本発明は、上記課題に係る問題を解決することを目的としている。即ち、本発明は、コイル導線間での絶縁破壊のない小型で安価な共鳴コイル及びそれを備える非接触電力伝送装置を提供することを目的としている。
【課題を解決するための手段】
【００１０】
本発明者は、共鳴コイルの小型化と低コストとを両立すべく、共鳴コイルの構成について検討を重ねた結果、コイル導線の各巻回部間には異なる電位差が生じており、この各巻回部間における電位差に応じて適切な絶縁耐力を有する絶縁部材を各巻回部間に設けることで、小型形状でありながら低コストを実現できることを見出し、本発明の完成に至った。
【００１１】
請求項１に記載された発明は、上記目的を達成するために、共鳴現象によって相手方コイルに電力を送信し又は前記相手方コイルから送信された電力を受信する共鳴コイルであって、複数回巻回されたコイル導線を有し、そして、前記コイル導線の一の巻回部と当該一の巻回部に隣接する他の巻回部との間には、前記一の巻回部と前記他の巻回部との間に生じる電位差に応じた絶縁耐力を有する絶縁部材が設けられていることを特徴とする共鳴コイルである。
【００１２】
請求項２に記載された発明は、請求項１に記載された発明において、前記絶縁部材には、異なる前記絶縁耐力を有する、順次積層された、複数の絶縁層が設けられていることを特徴とするものである。
【００１３】
請求項３に記載された発明は、請求項２に記載された発明において、前記コイル導線が、管状に複数回巻回されており、前記絶縁部材における前記コイル導線の軸方向中央部に設けられた前記絶縁層の絶縁耐力が、前記絶縁部材における前記コイル導線の軸方向両端部に設けられた前記絶縁層の絶縁耐力より高いことを特徴とするものである。
【００１４】
請求項４に記載された発明は、請求項３に記載された発明において、前記複数の絶縁層が、前記コイル導線の軸方向両端部に設けられた一対の第１絶縁層と、前記一対の第１絶縁層に挟まれるように積層されて前記コイル導線の軸方向中央部に設けられた、前記一対の第１絶縁層より絶縁耐力が高い第２絶縁層と、からなることを特徴とするものである。
【００１５】
請求項５に記載された発明は、上記目的を達成するために、共鳴現象によって電力を送信する送信共鳴コイルと、前記送信共鳴コイルから送信された電力を受信する受信共鳴コイルと、を有する非接触電力伝送装置において、前記送信共鳴コイル及び前記受信共鳴コイルの少なくとも一方が、請求項１〜４のいずれか一項に記載された共鳴コイルであることを特徴とする非接触電力伝送装置である。
【発明の効果】
【００１６】
請求項１に記載された発明によれば、複数回巻回されたコイル導線を有し、そして、このコイル導線の一の巻回部と当該一の巻回部に隣接する他の巻回部との間には、前記一の巻回部と前記他の巻回部との間に生じる電位差に応じた絶縁耐力を有する絶縁部材が設けられているので、例えば、コイル導線の各巻回部間に設ける絶縁部材の絶縁耐力を均一にした場合、コイル導線の一部の巻回部間において、過剰な絶縁耐力の絶縁部材を設けることになってしまうところ、本発明では、コイル導線の各巻回部間に生じる電位差に合わせた絶縁耐力を有する絶縁部材を設けることで、過剰な絶縁耐力を有する部分をなくすことができ、コイル導線間の絶縁破壊のない小型で安価な共鳴コイルを提供できる。
【００１７】
請求項２に記載された発明によれば、絶縁部材には、異なる前記絶縁耐力を有する、順次積層された、複数の絶縁層が設けられているので、絶縁部材が、異なる絶縁耐力を有する複数の絶縁層を順次積層した簡易な構成となり、より安価な共鳴コイルを提供できる。
【００１８】
請求項３に記載された発明によれば、コイル導線が、管状に複数回巻回されており、絶縁部材におけるコイル導線の軸方向中央部に設けられた絶縁層の絶縁耐力が、絶縁部材に軸方向両端部に設けられた絶縁層の絶縁耐力より高いので、コイル導線の各巻回部間に生じる電位差が、管状のコイル導線の軸方向中央部で大きく、両端部で小さくなる特性を有する共鳴コイルにおいて、コイル導線間の絶縁破壊のない小型で安価な共鳴コイルを提供できる。
【００１９】
請求項４に記載された発明によれば、複数の絶縁層が、コイル導線の軸方向両端部に設けられた一対の第１絶縁層と、これら一対の第１絶縁層に挟まれるように積層されてコイル導線の軸方向中央部に設けられた、一対の第１絶縁層より絶縁耐力が高い第２絶縁層と、からなるので、コイル導線の各巻回部間に生じる電位差が、管状のコイル導線の軸方向中央部で大きく、両端部で小さくなる特性を有する共鳴コイルにおいて、絶縁部材を、異なる絶縁耐力を有する絶縁材料を三層構造にした非常に簡易な構成とすることで、より安価な共鳴コイルを提供できる。
【００２０】
請求項５に記載された発明によれば、送信共鳴コイル及び受信共鳴コイルの少なくとも一方が、請求項１〜４のいずれか一項に記載された共鳴コイルであるので、小型で安価な共鳴コイルを用いることにより、小型で安価な非接触電力伝送装置を提供できる。
【図面の簡単な説明】
【００２１】
【図１】本発明の共鳴コイルの一実施形態を示す斜視図である。
【図２】図１の共鳴コイルの側面図である。
【図３】図１の共鳴コイルの変形例の構成を示す図であって、（ａ）は、丸型平面コイルの正面図であり、（ｂ）は、角形平面コイルの正面図である。
【図４】本発明の非接触電力伝送装置の一実施形態に係るワイヤレス電力伝送装置の構成を示す説明図である。
【図５】図４のワイヤレス電力伝送装置のブロック図である。
【図６】共鳴型電力伝送方式の原理を示す説明図である。
【図７】コイル導線における、共鳴状態での電圧分布を模式的に示す図である。
【図８】従来の共鳴コイルの構成を示す部分拡大断面図である。
【発明を実施するための形態】
【００２２】
（共鳴コイルの一実施形態）
以下、本発明の共鳴コイルの一実施形態について、図１、図２を参照して説明する。
【００２３】
共鳴コイルは、共鳴現象を利用して、対向配置された相手方コイルに電力を送信し又は前記相手方コイルから送信された電力を受信するのに用いられる。
【００２４】
各図に示す本発明に係る共鳴コイル（図中、符号５０で示す）は、コイル導線５１と、絶縁部材としてのモールド部材５２と、を有している。
【００２５】
コイル導線５１は、各図に示すように、例えば、直径５ｍｍの銅線を管状（ソレノイド）に複数回（ｎ回）巻回した、直径Ｄが６００ｍｍ、長さＬが２００ｍｍの空心のらせんコイルである。このコイル導線５１には、複数の円形部分（１ターン）である巻回部５５［１］〜５５［ｎ］が設けられている。コイル導線の一の巻回部５５［ｋ］とそれに隣接する他の巻回部５５［ｋ＋１］（ｋ：１〜ｎ−１）の間（以下、単に巻回部５５間という）には、一定の導線間ギャップＧ（即ち、間隔）が設けられている。なお、「一定の導線間ギャップＧ」とは、各導線間ギャップＧが、それぞれ同一又は概ね同一であることを意味する。
【００２６】
共振状態におけるコイル導線５１の電圧分布を図７に示す。そして、この図７から明らかなように、コイル導線５１における単位距離間の電位差（即ち、グラフの傾き）は、コイル導線５１の長手方向中央部（即ち、グラフの原点）ほど大きく、長手方向両端部に近づくにしたがって小さくなる。つまり、管状に巻回されたコイル導線５１は、箇所によって巻回部５５間の電位差が異なり、具体的には、その軸方向（即ち、長さＬ方向）中央部における巻回部５５間の電位差が、軸方向両端部における巻回部５５間の電位差より大きくなる特性を有している。
【００２７】
モールド部材５２は、各図に示すように、一対の第１絶縁層５２ａ、５２ｂと、これら一対の第１絶縁層５２ａ、５２ｂの間に挟まれて積層された第２絶縁層５２ｃと、を有している。このモールド部材５２の、一対の第１絶縁層５２ａ、５２ｂと、第２絶縁層５２ｃとは、上記コイル導線５１の上記特性を考慮して、その材料が定められる。
【００２８】
一対の第１絶縁層５２ａ、５２ｂは、例えば、ＰＩ（ポリイミド）などの中耐圧の絶縁性を有する合成樹脂で構成されており、コイル導線５１の軸方向（即ち、長さＬ方向）両端部における巻回部５５間に充填されてそれら巻回部５５を内包するように設けられている。
【００２９】
第２絶縁層５２ｃは、例えば、ＰＦＡ（テトラフルオロエチレン・パーフルオロアリキルビニルエーテル共重合体）などの高耐圧の絶縁性を有する合成樹脂で構成されており、コイル導線５１の軸方向中央部における巻回部５５間に充填されてそれら巻回部５５を内包するように設けられている。第２絶縁層５２ｃには、一対の第１絶縁層５２ａ、５２ｂに用いられる材料より絶縁耐力が高い材料が用いられる。
【００３０】
一対の第１絶縁層５２ａ、５２ｂに用いたＰＩの絶縁破壊電圧（ＡＣ）は、１５〜２０［ｋＶ／ｍｍ］程度であり、第２絶縁層５２ｃに用いたＰＦＡの絶縁破壊電圧（ＡＣ）は、１５０［ｋＶ／ｍｍ］程度であり、その一方で、空気の絶縁破壊電圧（ＡＣ）は、３［ｋＶ／ｍｍ］程度であるので、このようなモールド部材５２を設けることにより、コイル導線５１単体の構成より、導線間ギャップＧをより小さくすることができる。
【００３１】
モールド部材５２は、例えば、コイル導線５１の全体が収容された直方体枠型に、（１）まず、溶融状態のＰＩが枠型の３分の１程度の高さまで流し込まれたのち凝固されることにより第１絶縁層５２ｂが形成され、（２）次に、溶融状態のＰＦＡが枠型の３分の２程度の高さまで流し込まれたのち凝固されることにより第２絶縁層５２ｃが形成され、（３）最後に、溶融状態のＰＩが枠型の高さまで流し込まれたのち凝固されることにより第１絶縁層５２ａが形成される。これにより、各巻回部５５間にそれぞれの絶縁層を形成する合成樹脂が充填されて、コイル導線５１を内包するように、第１絶縁層５２ａ、５２ｂ及び第２絶縁層５２ｃが設けられる。つまり、モールド部材５２は、共振状態でのコイル導線５１の軸方向中央部における巻回部５５間の電位差が、軸方向両端部における巻回部５５間の電位差より大きくなるという特性に応じて、そのコイル導線５１の軸方向中央部の絶縁耐力が、軸方向両端部の絶縁耐力より高くなるように構成されている。
【００３２】
本実施形態においては、上述のように第１絶縁層５２ａ、５２ｂ及び第２絶縁層５２ｃを有するモールド部材５２を設けている。その一方で、従来の構成、例えば、絶縁耐力が比較的低い上記ＰＩのみを用いて絶縁耐力が均一になるようにモールド部材５２を構成した場合、コイル導線５１の軸方向中央部における巻回部５５間の電位差、即ち、最も大きい電位差に合わせて導線間ギャップＧ（即ち、巻回部５５間に充填されるモールド部材５２の厚さ）が定められるので、必要な絶縁耐力を確保するために巻回部５５間に充填されるモールド部材５２の厚さが大きくなって、モールド部材５２の外形サイズ（即ち、長さＬ）が大きくなってしまう。
【００３３】
また、絶縁耐力が比較的高い上記ＰＦＡのみを用いて絶縁耐力が均一になるようにモールド部材５２を構成した場合、巻回部５５間に充填されるモールド部材５２の厚さを小さくすることができ、外形サイズを小さくすることができる。しかしながら、絶縁耐力がより高い材料は高コストであり、また、巻回部５５間に充填されるモールド部材５２の厚さは、コイル導線５１の軸方向中央部における巻回部５５間の電位差、即ち、最も大きい電位差に合わせて定められているので、コイル導線５１の軸方向両端部においては、巻回部５５間に充填されるモールド部材５２の厚さが過剰となって、無駄が生じてしまう。また、上記ＰＩを用いた場合でも、このような無駄が生じる点に関して同様である。
【００３４】
そして、本実施形態によれば、モールド部材５２について、巻回部５５間の電位差が比較的低いコイル導線５１の軸方向両端部では、絶縁耐力の比較的低い材料からなる一対の第１絶縁層５２ａ、５２ｂを設け、巻回部５５間の電位差が比較的高いコイル導線５１の軸方向中央部では、絶縁耐力の比較的高い材料からなる第２絶縁層５２ｃを設けることにより、巻回部５５間の電位差に応じた絶縁耐力を有する絶縁部材を配設して、絶縁耐力が過剰となる部分をなくし、小型化と低コストとを両立している。
【００３５】
以上より、本発明によれば、複数回巻回され且つ各巻回部５５間に一定の導線間ギャップＧが設けられたコイル導線５１を有し、そして、このコイル導線５１の一の巻回部５５［ｋ］とそれに隣接する他の巻回部５５［ｋ＋１］との間には、これら一の巻回部５５［ｋ］と他の巻回部５５［ｋ＋１］との間に生じる電位差に応じた絶縁耐力を有するモールド部材５２が設けられているので、例えば、コイル導線５１の各巻回部５５間に設けるモールド部材５２の絶縁耐力を均一にした場合、コイル導線５１の一部の巻回部５５間において、過剰な絶縁耐力となる部分を設けることになってしまうところ、本発明では、コイル導線５１の各巻回部５５間に生じる電位差に合わせた絶縁耐力を有する第１絶縁層５２ａ、５２ｂ及び第２絶縁層５２ｃを設けることで、モールド部材５２における過剰な絶縁耐力となる部分をなくすことができ、コイル導線５１間の絶縁破壊のない小型で安価な共鳴コイル５０を実現できる。
【００３６】
また、コイル導線５１が、管状に複数回巻回されており、モールド部材５２におけるコイル導線５１の軸方向中央部の絶縁耐力が、軸方向両端部の絶縁耐力より高いので、コイル導線５１の各巻回部５５間に生じる電位差が、管状のコイル導線５１の軸方向中央部で大きく、両端部で小さくなる特性を有する共鳴コイル５０において、コイル導線５１間の絶縁破壊のない小型で安価な共鳴コイル５０を実現できる。
【００３７】
また、モールド部材５２が、コイル導線５１の軸方向両端部に設けられた一対の第１絶縁層５２ａ、５２ｂと、これら一対の第１絶縁層５２ａ、５２ｂに挟まれるように積層されてコイル導線５１の軸方向中央部に設けられた、一対の第１絶縁層５２ａ、５２ｂより絶縁耐力が高い第２絶縁層５２ｃと、を有しているので、コイル導線５１の各巻回部５５間に生じる電位差が、管状のコイル導線の軸方向中央部で大きく、両端部で小さくなる特性を有する共鳴コイルにおいて、モールド部材５２を、異なる絶縁耐力を有する絶縁材料を三層構造にした簡易な構成とすることで、より安価な共鳴コイル５０を実現できる。
【００３８】
本実施形態では、一対の第１絶縁層５２ａ、５２ｂ及び第２絶縁層５２ｃからなる三層構造のモールド部材５２を有するものであったが、これに限定されるものではなく、例えば、四層以上の複数の絶縁層を有するモールド部材５２としてもよい。モールド部材５２をこのような複数の絶縁層を積層した簡易な構成とすることで、安価な共鳴コイルを実現できる。また、モールド部材５２については、複数の絶縁層を積層した構成に限らず、本発明の目的に反しない限り、コイル導線５１の電圧分布に合わせて、コイル導線５１の一の巻回部５５［ｋ］とそれに隣接する他の巻回部５５［ｋ＋１］との間に、これら一の巻回部５５［ｋ］と他の巻回部５５［ｋ＋１］との間に生じる電位差に応じた絶縁耐力を有するモールド部材５２などが設けられているものであればよい。
【００３９】
また、本実施形態では、コイル導線５１の各巻回部５５間に一定の導線間ギャップＧが設けられているものであったが、これに限定されるものではない。例えば、巻回部５５間の電位差に合わせて、モールド部材５２の絶縁耐力とともに導線間ギャップＧを調整するなど、各導線間ギャップＧが互いに異なる構成などであってもよい。
【００４０】
また、本実施形態のコイル導線５１は、管状に複数回巻回されたものであったが、これに限定されるものではなく、例えば、図３（ａ）、（ｂ）に示すような、半径方向（中心から放射状に広がる方向）に沿って第１絶縁層５２ｂ、第２絶縁層５２ｃ、第１絶縁層５２ａが順次配置された平板環状のモールド部材５２の中に、コイル導線５１が平板状に複数回巻回されている平型らせんコイルなどであってもよく、本発明の目的に反しない限り、コイル導線５１の形状は任意である。
【００４１】
（非接触電力伝送装置の一実施形態）
次に、上述した共鳴コイルを備えた、本発明の非接触電力伝送装置の一実施形態に係るワイヤレス電力伝送装置ついて、図４〜図６を参照して説明する。
【００４２】
図４は、本発明の実施形態に係るワイヤレス電力伝送装置の構成を示す説明図である。同図に示すように、本実施形態に係るワイヤレス電力伝送装置１０は、電気自動車５に設けられる受電装置１２と、該受電装置１２に交流電力を供給する給電装置１１と、を備えており、給電装置１１より出力される交流電力を非接触（ワイヤレス）で受電装置１２に送信する。給電装置１１は、電力送信用の通信コイル２４を備えており、該通信コイル２４に交流電力が供給されると、この交流電力は、受電装置１２に設けられている電力受信用の通信コイル３１に伝達される。
【００４３】
電気自動車５に設けられる受電装置１２は、充電時に電気自動車５を給電装置１１の所定位置に置いたときに、電力送信用の通信コイル２４と接近する電力受信用の通信コイル３１と、整流器３３と、を備えている。更に、直流電力が充電されるバッテリ３５と、該バッテリ３５の電圧を降圧してサブバッテリ４１に供給するＤＣ／ＤＣコンバータ４２と、バッテリ３５の出力電力を交流電力に変換するインバータ４３と、該インバータ４３より出力される交流電力により駆動するモータ４４を備えている。
【００４４】
図５は、本発明の実施形態に係るワイヤレス電力伝送装置１０のブロック図であり、給電装置１１、及び電気自動車５に搭載される受電装置１２を備えている。
【００４５】
給電装置１１は、電力伝送用のキャリア信号を出力するキャリア発振器２１と、該キャリア発振器２１より出力されるキャリア信号（即ち、交流電力）を増幅する電力増幅器２３、及び電力増幅器２３で増幅された交流電力を出力する通信コイル２４を備えている。通信コイル２４は、後述するように給電コイル（一次コイル）Ｌ１と送信共鳴コイルＸ１から構成されている。そして、この送信共鳴コイルＸ１として、上述した共鳴コイル５０を用いている。
【００４６】
キャリア発振器２１は、電力伝送用の交流信号として例えば周波数１〜１００［ＭＨｚ］の交流電力を出力する。
【００４７】
電力増幅器２３は、キャリア発信器２１より出力された交流電力を増幅する。そして、増幅した交流電力を通信コイル２４に出力する。通信コイル２４は、受電装置１２に設けられる通信コイル３１と連携し、共鳴型電力伝送方式によりワイヤレスで交流電力を通信コイル３１に伝送する。共鳴型電力伝送方式（即ち、共鳴方式）については後述する。
【００４８】
また、受電装置１２は、電力送信用の通信コイル２４より送信される交流電力を受信する電力受信用の通信コイル３１と、この通信コイル３１で受信された交流電力を整流して、直流電圧を生成する整流器３３と、を備える。また、車両駆動用のモータ４４（図４参照）に電力を供給するバッテリ３５を備え、該バッテリ３５は、整流器３３より出力される直流電力により充電される。
【００４９】
通信コイル３１は、後述するように受電コイル（一次コイル）Ｌ２と受信共鳴コイルＸ２から構成されている。そして、この受信共鳴コイルＸ２として、上述した共鳴コイル５０を用いている。
【００５０】
次に、共鳴型電力伝送方式について説明する。図６は、共鳴型電力伝送方式の原理を示す説明図である。図示のように、給電装置１１には、給電コイルＬ１、及び該給電コイルＬ１と同心円状に且つ近接して配置された送信共鳴コイルＸ１（即ち、共鳴コイル５０）が設けられている。なお、給電コイルＬ１と送信共鳴コイルＸ１により図４、図５に示す通信コイル２４が構成される。また、受電装置１２には、受電コイルＬ２、及び該受電コイルＬ２と同心円状に且つ近接して配置された受信共鳴コイルＸ２（即ち、共鳴コイル５０）が設けられている。なお、受電コイルＬ２と受信共鳴コイルＸ２により図４、図５に示す通信コイル３１が構成される。
【００５１】
そして、給電コイルＬ１に１次電流を流すと、電磁誘導により送信共鳴コイルＸ１に誘導電流が流れ、更に、該送信共鳴コイルＸ１のインダクタンスＬｓ、及び浮遊容量Ｃｓにより、該送信共鳴コイルＸ１が共鳴周波数ωｓ（＝１／√Ｌｓ・Ｃｓ）で共鳴する。すると、この送信共鳴コイルＸ１に近接して設けられた、受電装置１２側の受信共鳴コイルＸ２が共鳴周波数ωｓで共鳴し、受信共鳴コイルＸ２に２次電流が流れる。更に、電磁誘導により受信共鳴コイルＸ２に近接した受電コイルＬ２に２次電流が流れる。
【００５２】
上記の動作により、給電装置１１から受電装置１２に、ワイヤレスで電力を送信することができることとなる。
【００５３】
次に、図４、図５に示した本発明のワイヤレス電力伝送装置の動作について説明する。図４に示すように、電気自動車５が給電装置１１の所定位置に置かれ、給電装置１１に設けられる通信コイル２４と、電気自動車５の受電装置１２に設けられる通信コイル３１が対向する位置となると、バッテリ３５への充電を行うことができる。
【００５４】
充電が開始されると、図５に示すキャリア発振器２１より、周波数１〜１００［ＭＨｚ］程度の交流電力が出力される。
【００５５】
そして、キャリア発信器２１より出力された交流電力は、電力増幅器２３にて増幅される。増幅された交流電力は、通信コイル２４，３１を介して、前述した共鳴型電力伝送の原理により、受電装置１２に伝送されることになる。
【００５６】
受電装置１２に伝送された交流電力は、通信コイル３１から整流器３３に出力される。
【００５７】
そして、整流器３３では、交流電力を整流して所定電圧の直流電力に変換し、この電力をバッテリ３５に供給して、該バッテリ３５を充電する。これにより、バッテリ３５を充電することができる。
【００５８】
以上より、本発明によれば、送信共鳴コイルＸ１及び受信共鳴コイルＸ２として、上述した共鳴コイル５０を用いているので、この共鳴コイル５０は、複数回巻回され且つ各巻回部５５間に一定の導線間ギャップＧが設けられたコイル導線５１を有し、そして、このコイル導線５１の一の巻回部５５［ｋ］とそれに隣接する他の巻回部５５［ｋ＋１］との間には、これら一の巻回部５５［ｋ］と他の巻回部５５［ｋ＋１］との間に生じる電位差に応じた絶縁耐力を有するモールド部材５２が設けられているので、モールド部材５２において過剰な絶縁耐力となる部分をなくすことができ、送信共鳴コイルＸ１及び受信共鳴コイルＸ２を低コストで小型化でき、したがって、小型で安価な非接触電力伝送装置を提供できる。
【００５９】
本実施形態においては、送信共鳴コイルＸ１及び受信共鳴コイルＸ２の両方とも上述した共鳴コイル５０を用いていたが、これに限定されるものではなく、送信共鳴コイルＸ１及び受信共鳴コイルＸ２のうち少なくとも一方に共鳴コイル５０を用いるものであればよい。
【００６０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６１】
５        電気自動車
１０      ワイヤレス電力伝送装置（非接触電力伝送装置）
５０      共鳴コイル
５１      コイル導線
５２      モールド部材（絶縁部材）
５２ａ、５２ｂ    第１絶縁層
５２ｃ    第２絶縁層
Ｘ１      送信共鳴コイル（共鳴コイル）
Ｘ２      受信共鳴コイル（共鳴コイル）
【図１】
0005595894.tif 000002
【図２】
0005595894.tif 000003
【図３】
0005595894.tif 000004
【図４】
0005595894.tif 000005
【図５】
0005595894.tif 000006
【図６】
0005595894.tif 000007
【図７】
0005595894.tif 000008
【図８】
0005595894.tif 000009